(57)【特許請求の範囲】
【請求項１】
プロセッサが、検査されている対象物に関連するコンピュータ提示可能なモデルを取得するステップと、
前記プロセッサが、前記対象物の前記部分を検査ツールにより検査した検査データを収集するステップと、
前記プロセッサが、前記対象物の前記部分に関連するモデルの部分のインジケータを前記収集された検査データと関連付けるステップと、
前記モデルの前記部分での前記検査データの利用可能性の指標をディスプレイに提示するステップと、
を含み、
前記指標は、前記検査データの鮮度、検査データの量、またはその両方を示す、ワイヤフレームおよび前記ワイヤフレームの太さ、間隔、またはその両方を備える、
方法。
【請求項２】
前記コンピュータ提示可能なモデルは前記対象物に関連付けられた一般的なモデルであり、
前記一般的なモデルは前記対象物の基本的な特徴を提供する、
請求項１に記載の方法。
【請求項３】
前記コンピュータ提示可能なモデルは前記対象物に関連付けられた特定のモデルであり、前記特定のモデルは前記対象物の詳細な特徴を提供する、請求項１または２に記載の方法。
【請求項４】
前記モデルの前記部分の前記インジケータを前記収集された検査データに関連付けるステップは、少なくとも前記モデルの前記部分の前記インジケータと前記収集された検査データとの間のデータベース内の関係を定義するステップを備える、請求項１から３のいずれかに記載の方法。
【請求項５】
前記モデルの前記部分の前記インジケータを前記収集された検査データに関連付けるステップは、関係属性を前記モデル、前記モデルの前記部分、前記収集された検査データ、またはそれらの任意の組み合わせを含むファイルに付加するステップを備える、請求項１から４のいずれかに記載の方法。
【請求項６】
検査された対象物の部分に関連する非破壊試験検査データを記憶するように構成されたコンピュータ読み取り可能な記憶装置と、
前記対象物に関連付けられたモデルを提示し、
前記検査データを前記対象物の関連する部分に関連付け、
前記提示されたモデルの部分での前記検査データの利用可能性の指標を提示し、前記提示されたモデルの前記部分は前記検査データに関連付けられた前記対象物の前記部分に関連する、
ように構成されたプロセッサと、
を備え、
前記指標は、前記検査データの鮮度、検査データの量、またはその両方を示す、ワイヤフレームおよび前記ワイヤフレームの太さ、間隔、またはその両方を備える、
システム。
【請求項７】
前記対象物に関連付けられた前記モデルは前記対象物の基本的な特徴を提供する一般的なモデルであり、
前記プロセッサは前記一般的なモデルの指標を提示するように構成される、
請求項６に記載のシステム。
【請求項８】
前記モデルは２次元（２Ｄ）または３Ｄモデルを含む、請求項６または７に記載のシステム。
【請求項９】
前記プロセッサは、前記対象物の各部分のために利用可能な量の検査データをモデル上の指標で提供するように構成される、請求項６から８のいずれかに記載のシステム。
【請求項１０】
有形の、非一時的な、機械読み取り可能な媒体であって、
対象物に関連付けられたモデルを提示し、
前記対象物の関連する部分を検査データに関連付けし、
前記提示されたモデルの部分上での検査データの利用可能性の指標を提示し、前記提示されたモデルの前記部分は前記検査データに関連付けられた前記対象物の前記部分に関連する、
機械読み取り可能な命令を備え、
前記指標は、前記検査データの鮮度、検査データの量、またはその両方を示す、ワイヤフレームおよび前記ワイヤフレームの太さ、間隔、またはその両方を備える、
機械読み取り可能な媒体
【請求項１１】
前記データの特性に基づいて前記指標を変更するための命令を備える、請求項１０に記載の機械読み取り可能な媒体。
【請求項１２】
前記指標でラベルを提示するための命令を備え、前記ラベルは前記指標に関する補足情報を提供する、請求項１０または１１に記載の機械読み取り可能な媒体。
【請求項１３】
前記モデルの前記部分に関連付けられた検査データを決定し、
前記モデルの前記部分に関連付けられた前記検査データを提示する、
命令を備える、請求項１０から１２のいずれかに記載の機械読み取り可能な媒体。
【発明の詳細な説明】
【技術分野】
【０００１】
本明細書で開示される主題は検査データを提示することに関する。より具体的には、本明細書で開示される主題はグラフィカルフィルタを使用して検査データをソートおよび／または提供することに関する。
【背景技術】
【０００２】
発電機器および設備、石油およびガス機器および設備、航空機機器および設備、製造機器および設備などの特定の機器および設備は複数の相互に関係するシステムおよびプロセスを含む。例えば、発電所はタービンシステムを動作および保守するためのタービンシステムおよびプロセスを含んでいてもよい。同様に、石油およびガス事業はパイプラインを介して相互接続された炭素質燃料検索システムおよび処理装置を含んでいてもよい。同様に、航空機システムは耐空性を維持し、保守サポートを提供するのに有用である飛行機およびメンテナンス格納庫を含んでいてもよい。機器の動作中に、機器は劣化し、全体的な機器の有効性に潜在的な影響を与える、腐食、磨耗および引裂等々の望ましくない条件が発生する可能性がある。非破壊検査技術または非破壊試験（ＮＤＴ）技術などの特定の検査技術は望ましくない装置条件を検出することに使用されてもよい。
【０００３】
ＮＤＴは将来の有用性を低下させることのない対象物、材料、またはシステムの検査に関する。特にＮＤＴ検査は特定の製品に関連する時間に制約のある検査データを使用して製品の完全性を決定するために使用されてもよい。例えば、ＮＤＴ検査は特定の時間期間にわたって製品の「磨耗および引裂」を観察してもよい。
【０００４】
ＮＤＴの多くの形態または様式が現在知られている。例えば、おそらく最も一般的なＮＤＴ方法は目視検査である。目視検査中に、検査員は例えば視覚的に目に見える欠陥の対象物を単に検査してもよい。代替的に、目視検査はコンピュータ誘導カメラ、ボアスコープなどの光学技術を使用して行われてもよい。放射線撮影はＮＤＴの別の形態である。放射線撮影は製品の欠陥を示すことができる製品の厚さおよび／または密度の変化を検出するために放射線（例えば、Ｘ線および／またはガンマ線）を使用することに関する。さらに、超音波検査は製品の変化および／または欠陥を検出するために製品に高周波の音波を送信することに関する。パルスエコー技術を使用することによって、製品内部に音波を導入し、欠陥が存在することを知らせる欠陥からのエコーが受信機に戻される。他の多くのＮＤＴの形態が存在する。例えば、いくつかの例を挙げると磁性粒子試験、浸透試験、電磁試験、漏洩試験、および音響放射試験などである。
【０００５】
多くの場合、製品検査は試験される製品の複雑な特質のために非常に複雑であるかもしれない。例えば、航空機は安全および検査基準が最も重要である非常に複雑な機械である。ボーイング７７７型機は多くの３００万もの部品を有しているかもしれない。依って、膨大な量の時間および労力が定期的にこれらの航空機を検査するために使用される。さらに、以前の検査に関連する履歴データは傾向データを理解するために検査結果の比較および対照をするのに使用されてもよい。さらに、製品の全機団（例えば、ボーイング７７７の機団）の検査データは検査の目的のために有用であるかもしれない。理解されるように、大量のデータが検査工程で収集され、使用されてもよい。
【０００６】
残念ながら、従来の検査システムでは、データの表示はＮＤＴオペレータまたは要員を検査に関する膨大な量の情報で溢れさせていたかもしれない。増加した検査データがこれらの検査システムに提供されるので、対象のデータにアクセスすることができるように、効率的に検査データをフィルタリングすることがますます困難となるかもしれない。依って、検査データをフィルタリングするための改良されたシステムおよび方法が望まれる。
【先行技術文献】
【特許文献】
【０００７】
【特許文献１】米国特許出願公開第２００９／０３０７６２８号明細書
【発明の概要】
【０００８】
本来請求される発明の範囲内に相応する特定の実施形態が以下に要約される。これらの実施形態は特許請求される本発明の範囲を限定するものではなく、むしろこれらの実施形態は単に本発明の可能な形態の簡潔な要約を提供することを意図している。実際、本発明は以下に述べる実施形態と類似または異なっていてもよい様々な形態を包含していてもよい。
【０００９】
第１の実施形態では、方法が提供される。プロセッサは検査される対象物に関連するコンピュータ提示可能モデルを取得するために使用される。プロセッサは検査される対象物の部分に関連するモデルの部分を決定する。検査ツールは検査データを収集するために対象物の部分を検査し、プロセッサはモデルの部分のインジケータ（指標）を収集した検査データと関連付ける。
【００１０】
第２の実施形態では、システムが提供される。システムは検査された対象物の部分に関連する非破壊試験の検査データを記憶するように構成されたコンピュータ読み取り可能記憶装置を含む。さらに、プロセッサは対象物に関連付けられたモデルを提示し、検査データを対象物の関連する部分と関連付け、提示されたモデルの部分の検査データの利用可能性の指標を提示する。提示されたモデルの部分は検査データに関連する対象物の部分に関連する。
【００１１】
第３の実施形態では、有形の、非一時的な、機械読み取り可能媒体は対象物に関連付けられたモデルを提示する機械読み取り可能命令を含み、検査データを対象物の関連部分と関連付け、提示されたモデルの部分での検査データの利用可能性の指標を提示し、提示されたモデルの部分は検査データに関連する対象物の部分に関連する。
【００１２】
本発明のこれらのおよび他の特徴、態様、および利点は、図面を通して同様の文字が同様の部分を表す添付図面を参照して以下の詳細な説明が読まれる際により良い理解がされるようになるであろう。
【図面の簡単な説明】
【００１３】
【図１】モバイルデバイスを含む分散型非破壊試験（ＮＤＴ）システムの実施形態を示すブロック図である。
【図２】図１の分散型ＮＤＴシステムの実施形態のさらなる詳細を示すブロック図である。
【図３】図１のモバイルデバイスおよび「クラウド」に通信可能に接続されたボアスコープシステム１４の実施形態を示す正面図である。
【図４】図１のモバイルデバイスに通信可能に接続されたパン−チルト−ズーム（ＰＴＺ）カメラシステムの実施形態の図である。
【図５】検査データなどのデータの計画、検査、解析、報告および共有のための分散型ＮＤＴシステムを使用するのに有用なプロセスの実施形態を示すフローチャートである。
【図６】ワイヤレスコンジットを通る情報の流れの実施形態のブロック図である。
【図７】実施形態による、収集された検査データにグラフィカルフィルタデータを適用するためのプロセスを示すフローチャートである。
【図８】実施形態による、グラフィカルフィルタを使用して検査データを提示するためのプロセスを示すフローチャートである。
【図９】実施形態による、ワイヤフレームを使用して検査特性およびデータを提供する例である。
【図１０】実施形態による、可変間隔のワイヤフレームおよび検査インジケータアイコンを使用して検査特性およびデータを提供する例である。
【図１１】実施形態による、色およびヒートマップを使用して検査特性およびデータを提供する例である。
【図１２】実施形態による、特定のグラフィカルフィルタエレメントの選択に基づいて検査データを取得するプロセスを示すフローチャートである。
【図１３】実施形態による、特定の検査データを取得するために胴体のグラフィカルフィルタエレメントを選択する例である。
【図１４】実施形態による、図１３の選択に基づいて取得されたフィルタ処理されたデータの例である。
【図１５】実施形態による、特定の検査データを取得するために翼のグラフィカルフィルタエレメントを選択する例である。
【図１６】実施形態による、図１５の選択に基づいて取得されたフィルタ処理されたデータの例である。
【図１７】実施形態による、具体的な検査データを取得するために図１３および１５の両方のグラフィカルフィルタエレメントを選択する例である。
【図１８】実施形態による、図１７で行われた選択に基づいて取得されたフィルタ処理されたデータの例である。
【発明を実施するための形態】
【００１４】
１つ以上の特定の実施形態について以下に説明がされる。これらの実施形態の簡潔な説明を提供する努力の中で、実際の実装の全ての特徴が本明細書に説明されている訳ではない。任意のエンジニアリングまたはデザインプロジェクトにおけるような、任意のそのような実際の実装の開発において、多数の実装固有の決定がシステム関連およびビジネス関連の制約への適合性などの開発者の特定の目標を達成するためになされなければならず、１つの実装から別のものに変わってもよいことが理解されるべきである。その上、そのような開発努力は複雑であり時間がかかるかもしれないが、それにもかかわらず、本開示の利益を有する当業者のためのデザイン、製作、および製造の日常的な仕事であろうことが理解されるべきである。
【００１５】
本発明の様々な実施形態の要素を導入する際に、冠詞「ａ」、「ａｎ」、「ｔｈｅ」、および「ｓａｉｄ」は１つ以上の要素があることを意味することが意図されている。用語「備える（ｃｏｍｐｒｉｓｉｎｇ）」、「含む（ｉｎｃｌｕｄｉｎｇ）」、および「有する（ｈａｖｉｎｇ）」は包括的であり列挙した要素以外の追加の要素があってもよいことを意味するように意図される。
【００１６】
本開示の実施形態は非破壊試験（ＮＤＴ）または検査システムを含む、様々な検査および試験技術に適用してもよい。ＮＤＴシステムでは、ボアスコープ検査、溶接検査、遠隔目視検査、Ｘ線検査、超音波検査、渦電流検査などの特定の技術は、腐食、機器の磨耗および引裂、亀裂、漏洩等々を含むがこれらに限定されない様々な条件を解析および検出するために使用されてもよい。本明細書で説明される技術は、拡張データ収集、データ解析、検査／試験プロセス、およびＮＤＴコラボレーション技術を可能にする、ボアスコープ検査、遠隔目視検査、Ｘ線検査、超音波検査、および／または渦電流検査のために適した改善されたＮＤＴシステムを提供する。
【００１７】
本明細書で説明される改善されたＮＤＴシステムは、タブレット、スマートフォン、拡張現実メガネなどのモバイルデバイスに、ノートブック、ラップトップ、ワークステーション、パーソナルコンピュータなどのコンピューティングデバイスに、およびクラウドベースのＮＤＴ生態系、クラウド解析、クラウドベースのコラボレーションおよびワークフローシステム、分散コンピューティングシステム、エキスパートシステムおよび／または知識ベースシステムなどの「クラウド」コンピューティングシステムに、検査装置を通信可能に結合するために適切なワイヤレスコンジットを使用した検査装置を含む。実際に、本明細書で説明される技術は、このように望ましくない状態の検出を改善し、保守業務を強化し、および設備および機器の投資収益率（ＲＯＩ）を増加させる、強化されたＮＤＴデータの収集、解析、およびデータ配信を提供してもよい。
【００１８】
一実施形態では、タブレットは、例えばニューヨーク州スケネクタディのゼネラルエレクトリック社から入手可能なＭＥＮＴＯＲ（商標）ＮＤＴ検査装置などのＮＤＴ検査装置（例えば、ボアスコープ、可搬型パン−チルト−ズームカメラ、渦電流装置、Ｘ線検査装置、超音波検査装置）に通信可能に結合されてもよく、および例えば強化されたワイヤレスディスプレイ機能、遠隔制御、データ解析および／またはデータ通信をＮＤＴ検査装置に提供するために使用されてもよい。その他のモバイルデバイスが使用されてもよいが、しかしながらタブレットがより大きく、より高解像度のディスプレイ、より強力な処理コア、増強されたメモリ、および改善された電池寿命を提供してもよい限り、タブレットが使用される傾向にある。依って、タブレットがデータの改善された可視化を提供する、検査装置の操作制御を改善する、および複数の外部システムおよびエンティティに協調共有を拡張するなどの特定の問題に対処してもよい。
【００１９】
前記内容を念頭に置きながら、本開示はＮＤＴシステムから取得した共有データおよび／またはアプリケーションの制御および／またはＮＤＴシステム内のデバイスに向けられている。一般的に、ＮＤＴシステムから生成されたデータは本明細書に開示された技術を使用する人々の様々な人やグループに自動的に分散されてもよい。また、ＮＤＴシステム内のデバイスをモニタおよび／または制御するために使用されるアプリケーションにより表示されるコンテンツはＮＤＴシステム内の装置をモニタおよび制御するための仮想コラボレーション環境を作成するために個人間で共有されてもよい。
【００２０】
前置きとして、図１を参照すると、図は分散型ＮＤＴシステム１０の実施形態のブロック図である。図示の実施形態では、分散型ＮＤＴシステム１０は１つ以上のＮＤＴ検査装置１２を含んでいてもよい。ＮＤＴ検査装置１２は少なくとも２つのカテゴリに分けられてもよい。１つのカテゴリでは、図１に示されるように、ＮＤＴ検査装置１２は様々な機器および環境を視覚的に検査するのに適した装置を含んでいてもよい。別のカテゴリでは、以下で図２に関してより詳細に説明されるように、ＮＤＴ装置１２は、Ｘ線検査モダリティ、渦電流検査モダリティ、および／または超音波検査モダリティなどの目視検査モダリティの代替を提供する装置を含んでいてもよい。
【００２１】
図１の第１の例示のカテゴリでは、ＮＤＴ検査装置１２は１つ以上のプロセッサ１５およびメモリ１７とを有するボアスコープ１４、および１つ以上のプロセッサ１９およびメモリ２１とを有する可搬型パン−チルト−ズーム（ＰＴＺ）カメラ１６を含んでいてもよい。目視検査装置のこの第１のカテゴリでは、ボアスコープ１４およびＰＴＺカメラ１６は、例えばターボ機械１８、および設備またはサイト２０を検査するために使用されてもよい。図示のように、ボアスコープ１４およびＰＴＺカメラ１６は１つ以上のプロセッサ２３およびメモリ２５とをまた有するモバイルデバイス２２に通信可能に結合されてもよい。モバイルデバイス２２は、例えばタブレット、携帯電話（例えば、スマートフォン）、ノートブック、ラップトップ、または他の任意のモバイルコンピューティングデバイスを含んでいてもよい。しかしながら、タブレットが画面サイズ、重量、計算能力、バッテリ寿命との間の良好なバランスを提供する限り、タブレットが使用される傾向がある。依って、一実施形態では、モバイルデバイス２２はタッチスクリーン入力を提供する上記のタブレットであってもよい。モバイルデバイス２２はボアスコープ１４および／またはＰＴＺカメラ１６などのＮＤＴ検査装置１２に様々なワイヤレスまたはワイヤードコンジットを通して通信可能に結合されてもよい。例えば、ワイヤレスコンジットはＷｉＦｉ（例えば、電気電子技術学会［ＩＥＥＥ］  ８０２．１１Ｘ）、携帯電話コンジット（例えば、高速パケットアクセス［ＨＳＰＡ］、ＨＳＰＡ＋、ロングタームエボリューション［ＬＴＥ］、ＷｉＭａｘ）、近距離通信（ＮＦＣ）、ブルートゥース、パーソナルエリアネットワーク（ＰＡＮ）などを含んでいてもよい。ワイヤレスコンジットはＴＣＰ／ＩＰ、ＵＤＰ、ＳＣＴＰ、ソケットレイヤなどの様々な通信プロトコルを使用してもよい。特定の実施形態では、ワイヤレスまたはワイヤードコンジットはセキュアソケットレイヤ（ＳＳＬ）、仮想プライベートネットワーク（ＶＰＮ）レイヤ、暗号化レイヤ、チャレンジキー認証レイヤ、トークン認証レイヤなどのセキュアレイヤを含んでいてもよい。ワイヤードコンジットは独自ケーブル、ＲＪ４５ケーブル、同軸ケーブル、光ファイバケーブルなどを含んでいてもよい。
【００２２】
付加的にまたは代替的に、モバイルデバイス２２はボアスコープ１４および／またはＰＴＺカメラ１６などのＮＤＴ検査装置１２に「クラウド」２４を通して通信可能に結合されてもよい。実際、モバイルデバイス２２は、遠隔検査を受けようとする物理的場所から離れた地理的場所を含む、任意の地理的場所からＮＤＴ検査装置１２にインターフェースするために、ＨＴＴＰ、ＨＴＴＰＳ、ＴＣＰ／ＩＰ、サービス指向アーキテクチャー（ＳＯＡ）プロトコル（例えば、シンプルオブジェクトアクセスプロトコル［ＳＯＡＰ］、Ｗｅｂサービス記述言語（ＷＳＤＬ））を含むがこれらに限定されない、クラウド２４コンピューティングおよび通信技術（例えば、クラウドコンピューティングネットワーク）を使用してもよい。さらに、一実施形態では、モバイルデバイス２２は、モバイルデバイス２２がクラウド２４内の、またはクラウド２４に接続される、コンピューティングシステム２９（例えば、コンピュータ、ラップトップ、仮想マシン（複数可）［ＶＭ］、デスクトップ、ワークステーション）などの、他のシステムにＮＤＴ検査装置１２を接続するのに適した無線アクセスポイント（ＷＡＰ）の機能を提供してもよい、「ホットスポット」機能を提供してもよい。依って、コラボレーションはマルチパーティワークフロー、データ収集、およびデータ解析を提供することにより高められてもよい。
【００２３】
例えば、モバイルデバイスのオペレータ２８は遠隔制御技術を通して第２の場所でボアスコープ１４とインターフェースするおよび物理的に操作するためにモバイルデバイス２２を使用してもよい一方、ボアスコープのオペレータ２６は物理的に一箇所でボアスコープ１４を操作してもよい。第２の場所は第１の場所に近接していても、または第１の場所から地理的に離れていてもよい。同様に、カメラのオペレータ３０は第３の場所でＰＴＺカメラ１６を物理的に操作してもよく、およびモバイルデバイスのオペレータ２８はモバイルデバイス２２を使用して第４の場所でＰＴＺカメラ１６を遠隔制御してもよい。第４の場所は第３の場所に近接していても、または第３の場所から地理的に離れていてもよい。オペレータ２６および３０により実行される任意のおよびすべての制御動作はモバイルデバイス２２を通してオペレータ２８により付加的に実行されてもよい。付加的にオペレータ２８はデバイス１４、１６および２２を使用してボイスオーバーＩＰ（ＶＯＩＰ）、仮想ホワイトボード、テキストメッセージなどの技術を通してオペレータ２６および／または３０と通信してもよい。オペレータ２８、オペレータ２６、およびオペレータ３０との間の遠隔コラボレーション技術を提供することにより、本明細書に説明の技術は強化されたワークフローを提供し、資源の効率性を高めてもよい。実際に、非破壊試験法はクラウド２４およびモバイルデバイス２２、ＮＤＴ検査装置１２、およびクラウド２４に結合された外部システムとの通信結合を活用してもよい。
【００２４】
動作の一様式では、モバイルデバイス２２は、以下でより詳細に説明するように、モバイルデバイス２２により提供される様々なインターフェース技術と同様に、例えばより大きい画面ディスプレイ、より強力なデータ処理を活用するためにボアスコープオペレータ２６および／またはカメラオペレータ３０により操作されてもよい。実際に、モバイルデバイス２２はデバイス１４および１６の横でまたは並行してそれぞれのオペレータ２６および３０により操作されてもよい。この強化された柔軟性は人的資源を含む資源の有効活用、および改善された検査結果を提供する。
【００２５】
オペレータ２８、２６、および／または３０により制御されるかどうかによらず、ボアスコープ１４および／またはＰＴＺカメラ１６は多種多様な機器および設備を視覚的に検査するために使用されてもよい。例えば、ボアスコープ１４は照明およびターボ機械１８の多数のコンポーネントの視覚的観察を提供するために複数のボアスコープポートおよびターボ機械１８内の他の場所に挿入されてもよい。図示の実施形態では、ターボ機械１８は炭素質燃料を機械的な動力に変換するのに適したガスタービンとして図示されている。しかしながら、コンプレッサ、ポンプ、ターボエキスパンダ、風力タービン、水力タービン、産業機器、および／または住宅用機器などを含む、他の種類の機器が検査されてもよい。ターボ機械１８（例えば、ガスタービン）は、本明細書に説明のＮＤＴ検査装置１２により検査されてもよい様々なコンポーネントを含んでいてもよい。
【００２６】
前記内容を念頭に置いた上で、本明細書に開示された実施形態を使用して検査されてもよい特定のターボ機械１８のコンポーネントを論ずることは有益であるかもしれない。例えば、図１に示すターボ機械１８の特定のコンポーネントは腐食、浸食、亀裂、漏洩、溶接検査等々のために検査されてもよい。ターボ機械１８などの機械システムは運転条件の間に機械的および熱的ストレスを受け、特定のコンポーネントの定期点検を必要とするかもしれない。ターボ機械１８の動作時には、天然ガスまたは合成ガスなどの燃料は１つ以上の燃料ノズル３２を通してターボ機械１８の燃焼器３６内に特定のルートで送られてもよい。空気は吸気部３８を通してターボ機械１８に入ってもよく、圧縮機３４により圧縮されてもよい。圧縮機３４は空気を圧縮する一連のステージ４０、４２、および４４を含んでいてもよい。各ステージは静翼４６および圧縮空気を提供するために圧力を進行的に増加させるために回転するブレード４８の１つ以上のセットを含んでいてもよい。ブレード４８はシャフト５２に接続された回転ホイール５０に取り付けられてもよい。圧縮機３４からの圧縮吐出空気はディフューザ部５６を通して圧縮機３４を出てもよく、燃料と混合するために燃焼器３６内に導かれてもよい。例えば、燃料ノズル３２は最適な燃焼、排出、燃料消費量、および動力出力のために適切な比率で燃焼器３６内に燃料−空気混合気を噴射してもよい。特定の実施形態では、ターボ機械１８は環状配列で配置された複数の燃焼器３６を含んでいてもよい。各燃焼器３６はタービン５４内に高温の燃焼ガスを導いてもよい。
【００２７】
図示のように、タービン５４はケーシング７６に囲まれた３つの別々のステージ６０、６２、および６４を含む。各ステージ６０、６２、および６４はそれぞれのロータホイール６８、７０、および７２に結合されたブレードまたはバケット６６のセットを含み、シャフト７４に取り付けられている。高温燃焼ガスはタービンブレード６６の回転を引き起こすので、シャフト７４は圧縮機３４および発電機などの他の任意の適切な負荷を駆動するように回転させる。最終的には、ターボ機械１８は排気部８０を通して燃焼ガスを拡散および排気する。ノズル３２、吸気部３８、圧縮機３４は、翼４６、ブレード４８、ホイール５０、シャフト５２、ディフューザ５６、ステージ６０、６２および６４、ブレード６６、シャフト７４、ケーシング７６、排気部８０などのタービンコンポーネントは前記コンポーネントを検査および保守するために、ＮＤＴ検査装置１２などの開示された実施形態を使用してもよい。
【００２８】
付加的に、または代替的に、ＰＴＺカメラ１６はターボ機械１８の周辺またはその内部の様々な場所に配置され、これらの場所の視覚的観察を獲得するために使用されてもよい。ＰＴＺカメラ１６は付加的に所望の場所の照明用に適した１つ以上のライトを含んでいてもよく、近づくことが困難な様々な領域の周辺での観測を導出するために有用な、図４に関して以下でより詳細に説明するズーム、パン、およびチルト技術をさらに含んでいてもよい。ボアスコープ１４および／またはカメラ１６は付加的に石油およびガス設備２０などの設備２０を検査するために使用されてもよい。石油およびガス機器８４などの様々な機器はボアスコープ１４および／またはＰＴＺカメラ１６を使用して視覚的に検査されてもよい。有利には、パイプまたはコンジット８６の内部、水中（または液体中）の場所８８、および曲線または屈曲９０を有する場所などの観察が困難な場所などの場所はボアスコープ１４および／またはＰＴＺカメラ１６を通してモバイルデバイス２２を使用して視覚的に検査されてもよい。依って、モバイルデバイスのオペレータ２８はより安全におよび効率的に機器１８、８４および場所８６、８８、および９０を検査してもよく、検査領域から地理的に離れた場所でリアルタイムに、またはほぼリアルタイムに観察を共有してもよい。他のＮＤＴ検査装置１２は、ファイバースコープ（例えば、関節接合ファイバースコープ、非関節接合ファイバースコープ）およびロボットパイプ検査機およびロボットクローラを含む遠隔操作車（ＲＯＶ）などの本明細書に説明の実施形態を使用してもよいことが理解されるべきである。
【００２９】
次に図２を参照すると、図は視覚的検査データの代替検査データを提供することが可能であってもよいＮＤＴ検査装置１２の第２のカテゴリを示す分散型ＮＤＴシステム１０の実施形態のブロック図である。例えば、ＮＤＴ検査装置１２の第２のカテゴリは渦電流検査装置９２、超音波探傷器９４などの超音波検査装置、およびデジタル放射線撮影装置９６のようなＸ線検査装置を含んでいてもよい。渦電流検査装置９２は１つ以上のプロセッサ９３およびメモリ９５を含んでいてもよい。同様に、超音波探傷器９４は１つ以上のプロセッサ９７およびメモリ９９を含んでいてもよい。同様に、デジタル放射線撮影装置９６は１つ以上のプロセッサ１０１およびメモリ１０３を含んでいてもよい。動作において、渦電流検査装置９２は渦電流オペレータ９８により操作されてもよく、超音波探傷器９４は超音波装置オペレータ１００により操作されてもよく、およびデジタル放射線撮影装置９６は放射線撮影オペレータ１０２により操作されてもよい。
【００３０】
図示のように、渦電流検査装置９２、超音波探傷器９４、およびデジタル放射線検査装置９６は、図１に関して上述したコンジットを含む、ワイヤードまたはワイヤレスコンジットを使用してモバイルデバイス２２に通信可能に結合されてもよい。付加的に、または代替的に、デバイス９２、９４、および９６はクラウド２４を使用してモバイルデバイス２２に結合されてもよく、例えばボアスコープ１４は携帯電話の「ホットスポット」に接続されてもよく、およびホットスポットをボアスコープ検査および解析中の１人以上の専門家に接続するために使用してもよい。依って、モバイルデバイスのオペレータ２８はモバイルデバイス２２を使用してデバイス９２、９４、および９６の動作の様々な態様を遠隔制御してもよく、および本明細書でより詳細に説明するように、音声（例えば、ボイスオーバーＩＰ［ＶＯＩＰ］）、データ共有（ホワイトボード機能）、データ解析提供、専門的なサポート等を通してオペレータ９８、１００、および１０２とコラボレートしてもよい。
【００３１】
依って、Ｘ線観測モダリティ、超音波観測モダリティ、および／または渦電流観測モダリティを有する航空機システム１０４および設備１０６などの様々な機器の目視観察を強化することが可能であってもよい。例えば、パイプ１０８の内部および壁部は腐食および／または浸食の検査をされてもよい。同様に、パイプ１０８の内部の障害物または望ましくない成長はデバイス９２、９４、および／または９６を使用して検出されてもよい。同様に、特定の鉄または非鉄材料１１２の内部に配置された亀裂またはクラック１１０は観察されてもよい。付加的に、コンポーネント１１６の内部に挿入された部分１１４の配置および生育度は確認されてもよい。実際に、本明細書に説明の技術を使用することにより、機器およびコンポーネント１０４、１０８、１１２および１１６の改善された検査が提供されてもよい。例えば、モバイルデバイス２２はデバイス１４、１６、９２、９４、および９６とのインターフェースをするためにおよび遠隔制御を提供するために使用されてもよい。
【００３２】
図３はモバイルデバイス２２およびクラウド２４に結合されたボアスコープ１４の正面図である。依って、ボアスコープ１４はクラウド２４に接続されたまたはクラウド２４内の任意の数のデバイスにデータを提供してもよい。上述したように、モバイルデバイス２２はボアスコープ１４からデータを受信するために、ボアスコープ１４を遠隔制御するために、またはそれらの組み合わせで使用されてもよい。実際に、本明細書に説明の技術は、例えば温度、圧力、流量、クリアランス（例えば、静止部品および回転部品との間の測定）、および距離測定などの画像、ビデオ、およびセンサ測定値などを含むがこれらに限定するものではないボアスコープ１４からモバイルデバイス２２への各種データの通信を可能にする。同様に、モバイルデバイス２２は、以下でより詳細に説明するように、制御命令、再プログラミング命令、設定命令などを通信してもよい。
【００３３】
図示のようにボアスコープ１４は、ターボ機械１８の内側、機器８４、パイプまたはコンジット８６、水中の場所８８、曲線または屈曲９０、航空機システム１０４の内部または外部の様々な場所、パイプ１０８の内部等々の内部への様々な場所への挿入のための適切な挿入チューブ１１８を含む。挿入チューブ１１８は先端部１２０、関節部１２２、および導管部１２４を含んでいてもよい。図示の実施形態では、先端部１２０はカメラ１２６、１つ以上のライト１２８（例えば、ＬＥＤ）、およびセンサ１３０を含んでいてもよい。上述したように、ボアスコープのカメラ１２６は検査に適した画像およびビデオを提供してもよい。ライト１２８は先端部１２０が低照度または全く照明を有しない場所に配置される際に照明を提供するために使用されてもよい。
【００３４】
使用中には、関節部１２２は、例えばモバイルデバイス２２および／またはボアスコープ１４に配置された物理的なジョイスティック１３１により制御されてもよい。関節部１２２は様々な次元で操縦または「屈曲」してもよい。例えば、関節部１２２は先端部１２０の動きを図示のＸＹＺ軸１３３のＸ−Ｙ平面、Ｘ−Ｚ平面、および／またはＹ−Ｚ平面内で可能にしてもよい。実際に、物理的なジョイスティック１３１および／またはモバイルデバイス２２の両方は図示の角度αなどのような様々な角度で先端部１２０を配置するのに適した制御動作を提供するために単独または組み合わせて使用されてもよい。このように、ボアスコープ先端部１２０は所望の場所を視覚的に検査するように配置されてもよい。カメラ１２６は次に、例えばビデオ１３４をキャプチャしてもよく、ボアスコープ１４の画面１３５およびモバイルデバイス２２の画面１３７に表示されてもよく、ボアスコープ１４および／またはモバイルデバイス２２により記録されてもよい。一実施形態では、画面１３５および１３７は容量技術、抵抗技術、赤外線グリッド技術等を使用した、スタイラスおよび／または１つ以上のヒトの指のタッチを検出するためのマルチタッチスクリーンであってもよい。付加的にまたは代替的に、画像およびビデオ１３４はクラウド２４に送信されてもよい。
【００３５】
センサ１３０のデータを含むがこれらに限定されない他のデータは付加的にボアスコープ１４により通信および／または記録されてもよい。センサ１３０のデータは温度データ、距離データ、クリアランスデータ（例えば、回転および固定コンポーネントとの間の距離）、流量データ等々を含んでいてもよい。特定の実施形態では、ボアスコープ１４は複数の交換チップ１３６を含んでいてもよい。例えば、交換チップ１３６はスネア、磁気チップ、グリッパチップ等の回収チップを含んでいてもよい。交換チップ１３６は付加的にワイヤブラシ、ワイヤカッター等の清掃および障害物除去ツールを含んでいてもよい。チップ１３６は付加的に焦点距離、立体視、３次元（３Ｄ）フェーズビュー、シャドウビュー等々の異なる光学特性を有するチップを含んでいてもよい。付加的にまたは代替的に、先端部１２０は取り外し可能および交換可能な先端部１２０を含んでいてもよい。依って、複数の先端部１２０は様々な直径に設けられてもよく、および挿入チューブ１１８は約１ミリメートルから１０ミリメートルまたはそれ以上の開口部を有する多数の場所に配置されてもよい。実際に、多種多様な機器および設備が検査されてもよく、およびデータはモバイルデバイス２２および／またはクラウド２４を通して共有されてもよい。
【００３６】
図４はモバイルデバイス２２およびクラウド２４に通信可能に接続された可搬型ＰＴＺカメラ１６の実施形態の斜視図である。上述したように、モバイルデバイス２２および／またはクラウド２４は所望の機器および場所を表示させるためＰＴＺカメラ１６を配置するためにＰＴＺカメラ１６を遠隔に操作してもよい。図示の例では、ＰＴＺカメラ１６は傾斜させても、Ｙ軸周りに回転させてもよい。例えば、ＰＴＺカメラ１６はＹ軸周りに約０°から１８０°、０°から２７０°、０°から３６０°、またはそれ以上の間の角度βで回転させてもよい。同様に、ＰＴＺカメラ１６は、例えばＹ軸に関して角度γでＹ−Ｘ面に対して約０°から１００°、０°から１２０°、０°から１５０°、またはそれ以上に傾斜させてもよい。ライト１３８は同様に、例えばアクティブまたは非アクティブに、および所望の値の照明（例えば、ルクス）のレベルに増加または減少させるなどのように、制御されてもよい。特定の対象物までの距離を測定するのに適した、レーザレンジファインダなどのセンサ１４０はまたＰＴＺカメラ１６上に取り付けられてもよい。長範囲温度センサ（例えば、赤外線温度センサ）、圧力センサ、流量センサ、クリアランスセンサ等々を含む、他のセンサ１４０が使用されてもよい。
【００３７】
ＰＴＺカメラ１６は、例えばシャフト１４２を使用することにより所望の場所に移送されてもよい。シャフト１４２はカメラオペレータ３０が例えば場所８６、１０８の内部に、水中８８に、危険な（例えば、危険物）場所の内部等々に、カメラを移動させおよびカメラを配置することを可能にする。付加的に、シャフト１４２はシャフト１４２を恒久的または半恒久的なマウント上にマウントすることによってより恒久的にＰＴＺカメラ１６を固定するために使用されてもよい。このように、ＰＴＺカメラ１６は所望の場所に移送され、および／または固定されてもよい。ＰＴＺカメラ１６は次に、例えば無線技術を使用して、画像データ、ビデオデータ、センサ１４０のデータ等をモバイルデバイス２２および／またはクラウド２４に送信してもよい。依って、ＰＴＺカメラ１６から受信されたデータは遠隔で解析され、所望の機器および設備のための操作の条件および適合性を決定するために使用されてもよい。実際に、本明細書に説明の技術は、図５に関連して以下でより詳細に説明するように、上記の装置１２、１４、１６、２２、９２、９４、９６、およびクラウド２４を使用することにより様々なデータを計画する、検査する、解析する、および／または共有するのに適した総合的な検査および保守のプロセスを提供してもよい。
【００３８】
図５は前述の装置１２、１４、１６、２２、９２、９４、９６、およびクラウド２４を使用して、様々なデータを計画する、検査する、解析する、および／または共有するための適切なプロセス１５０の実施形態を示すフローチャートである。実際に、本明細書に説明の技術は、図示されたプロセス１５０などのプロセスが、様々な機器をより効率的にサポートおよび保守することを可能にするために装置１２、１４、１６、２２、９２、９４、９６を使用してもよい。特定の実施形態では、プロセス１５０またはプロセス１５０の一部は、プロセッサ１５、１９、２３、９３、９７、１０１などのメモリに格納された非一時的なコンピュータ読み取り可能媒体に含まれていてもよく、およびメモリ１７、２１、２５、９５、９９、１０３などの１つ以上のプロセッサにより実行可能であってもよい。
【００３９】
１つの例では、プロセス１５０は検査および保守活動のための計画をしてもよい（ブロック１５２）。装置１２、１４、１６、２２、４２、４４、４６を使用して取得されたデータ、および機器のユーザ（例えば、航空機１０４のサービス会社）、および／または機器メーカーからターボ機械１８のフリートから取得されたフリートデータなどのその他のデータは、保守および検査活動、機械のためのより効率的な検査スケジュール、より詳細な検査のために特定の領域にフラグを設定する等々を計画する（ブロック１５２）ために使用されてもよい。プロセス１５０は次に所望の設備および機器（例えば、ターボ機械１８）の単一モードまたはマルチモーダル検査（ブロック１５４）の使用を可能にしてもよい。上述のように、検査（ブロック１５４）は任意の１つ以上のＮＤＴ検査装置１２（例えば、ボアスコープ１４、ＰＴＺカメラ１６、渦電流検査装置９２、超音波探傷器９４、デジタル放射線撮影装置９６）を使用してもよく、このように検査の１つ以上のモードを提供する（例えば、視覚的、超音波、渦電流、Ｘ線）。図示の実施形態では、モバイルデバイス２２はＮＤＴ検査装置１２を遠隔制御するために、ＮＤＴ検査装置１２により通信されたデータを解析するために、本明細書においてより詳細に説明されるようなＮＤＴ検査装置１２には含まれない追加機能を提供するために、ＮＤＴ検査装置１２からのデータを記録するために、および例えばメニュー方式の検査（ＭＤＩ）技術を使用して検査をガイドする（ブロック１５４）ために使用されてもよい。
【００４０】
検査の結果（ブロック１５４）は次に、例えばＮＤＴ検査装置１２を使用することにより、クラウド２４に検査データを送信することにより、モバイルデバイス２２を使用することにより、またはそれらの組み合わせにより解析されてもよい（ブロック１５６）。解析は設備および／または機器の残り寿命、摩耗および引裂、腐食、浸食等を決定するのに有用な工学解析を含んでいてもよい。解析は付加的により効率的な部品交換のスケジュール、保守スケジュール、機器の利用スケジュール、要員の利用スケジュール、新しい検査のスケジュール等々を提供するために使用されるオペレーションズリサーチ（ＯＲ）解析を含んでいてもよい。解析（ブロック１５６）は次に１つ以上のレポート１５９を結果としてもたらし、クラウド２４内でまたはクラウド２４を使用して作成されたレポートを含み、実行された検査および解析および取得された結果を詳述する報告をされてもよい（ブロック１５８）。レポート１５９は次に、例えばクラウド２４、モバイルデバイス２２、およびワークフロー共有技術などの他の技術を使用して共有されてもよい（ブロック１６０）。一実施形態では、プロセス１５０は反復的であってもよく、このように、プロセス１５０はレポート１５９を共有した（ブロック１６０）後、計画（ブロック１５２）に反復戻りしてもよい。計画、検査、解析、報告、およびデータ共有をするために本明細書に説明した装置（例えば、１２、１４、１６、２２、９２、９４、９６）を使用するのに有用な実施形態を提供することにより、本明細書に説明の技術は設備２０、１０６および機器１８、１０４のより効率的な検査および保守を可能にしてもよい。実際に、データの複数のカテゴリの転送は図６に関して以下でより詳細に説明されるように提供されてもよい。
【００４１】
図６はＮＤＴ検査装置１２（例えば、装置１４、１６、９２、９４、９６）から発信され、モバイルデバイス２２および／またはクラウド２４へ送信される様々なデータカテゴリの流れの実施形態を示すデータフロー図である。上述したように、ＮＤＴ検査装置１２はデータを送信するためにワイヤレスコンジット１６２を使用してもよい。一実施形態では、ワイヤレスコンジット１６２はＷｉＦｉ（例えば、８０２．１１Ｘ）、携帯電話コンジット（例えば、ＨＳＰＡ、ＨＳＰＡ＋、ＬＴＥ、ＷｉＭａｘ）、ＮＦＣ、ブルートゥース、ＰＡＮ等を含んでいてもよい。ワイヤレスコンジット１６２はＴＣＰ／ＩＰ、ＵＤＰ、ＳＣＴＰ、ソケットレイヤ等々の様々な通信プロトコルを使用してもよい。特定の実施形態では、ワイヤレスコンジット１６２はＳＳＬ、ＶＰＮレイヤ、暗号化レイヤ、チャレンジキー認証レイヤ、トークン認証レイヤ等々のセキュアレイヤを含んでいてもよい。依って、認証データ１６４はＮＤＴ検査装置１２をモバイルデバイス２２および／またはさらにクラウド２４にペアリングするまたはそうでなければ認証するために適した任意の数の権限またはログイン情報を提供するために使用されてもよい。付加的に、ワイヤレスコンジット１６２は、例えば現在使用可能な帯域幅および待ち時間に応じてデータを動的に圧縮してもよい。モバイルデバイス２２は次にデータを解凍して表示してもよい。圧縮／解凍技術はＨ．２６１、Ｈ．２６３、Ｈ．２６４、動画専門家グループ（ＭＰＥＧ）、ＭＰＥＧ−１、ＭＰＥＧ−２、ＭＰＥＧ−３、ＭＰＥＧ−４、ＤｉｖＸ等々を含んでいてもよい。
【００４２】
特定のモダリティでは（例えば、視覚モダリティ）、画像およびビデオは特定のＮＤＴ検査装置１２を使用して通信してもよい。他のモダリティもまたそれぞれの画面に関連するまたは含まれるビデオ、センサデータ等々を送信してもよい。ＮＤＴ検査装置１２は画像をキャプチャすることに加えて、より有益な視野を結果としてもたらす画像上に特定のデータをオーバーレイしてもよい。例えば、ボアスコープのチップマップは、オペレータ２６にボアスコープカメラ１２６をより正確に配置するようにガイドするために、挿入中にボアスコープチップの配置の近接を示す、ビデオ上にオーバーレイしてもよい。オーバーレイチップマップは４つの象限を有するグリッドを含んでいてもよく、およびチップ１３６の配置は４つの象限内側の任意の部分または位置のドットとして表示されてもよい。以下でより詳細に説明されるように、測定オーバーレイ、メニューオーバーレイ、注釈オーバーレイ、および物体識別オーバーレイを含む、様々なオーバーレイが提供されてもよい。ビデオ１３４などの画像およびビデオデータは次に一般的に画像およびビデオデータ上に表示されるオーバーレイと一緒に表示されてもよい。
【００４３】
一実施形態では、オーバーレイ、画像、およびビデオデータは画面１３５から「スクリーンスクラップ」されても、およびスクリーンスクラッピングデータ１６６として通信されてもよい。スクリーンスクラッピングデータ１６６は次にモバイルデバイス２２およびクラウド２４に通信可能に結合された他のディスプレイデバイス上に表示されてもよい。有利なことに、スクリーンスクラッピングデータ１６６はより容易に表示されてもよい。実際に、画素が同一フレーム内の画像またはビデオおよびオーバーレイの両方を含んでいてもよいので、モバイルデバイス２２は上記の画素を単に表示してもよい。しかしながら、スクリーンスクラッピングデータを提供することは画像およびオーバーレイの両方をマージしてもよく、２つ（またはそれ以上）のデータストリームを分離することが有益であってもよい。例えば、分離されたデータストリーム（例えば、画像またはビデオストリーム、オーバーレイストリーム）はほぼ同時に送信されてもよく、このようにより高速なデータ通信を提供する。付加的に、データストリームは別々に解析されてもよく、このようにデータの検査および解析を改善する。
【００４４】
依って、一実施形態では、画像データおよびオーバーレイは２つ以上のデータストリーム１６８および１７０に分離されてもよい。データストリーム１７０は画像またはビデオを含んでいてもよい一方、データストリーム１６８はオーバーレイのみを含んでいてもよい。一実施形態では、画像またはビデオ１７０は同期信号１７２を使用することによりオーバーレイ１６８と同期されてもよい。例えば、同期信号はオーバーレイストリーム１６８に含まれる１つ以上のデータ項目を有するデータストリーム１７０のフレームに合わせて適切なタイミングデータを含んでいてもよい。さらに別の実施形態では、同期データ１７２無しのデータが使用されてもよい。その代わりに、各フレームまたは画像１７０は一意のＩＤを含んでいてもよく、およびこの一意のＩＤは１つ以上のオーバーレイデータ１６８に一致してもよく、およびオーバーレイデータ１６８および画像データ１７０を一緒に表示するために使用されてもよい。
【００４５】
オーバーレイデータ１６８はチップマップオーバーレイを含んでいてもよい。例えば、４つの正方形（例えば、象限グリッド）を有するグリッドはチップ１３６の位置を表す点または円に沿って表示されてもよい。このチップマップはこのようにチップ１３６がどのように対象物の内部に挿入されているのかを表していてもよい。第１の象限（右上）は対象物内に軸方向に見下ろす右上隅内に挿入されるチップ１３６を表していてもよく、第２の象限（左上）は軸方向に見下ろす左上隅内に挿入されるチップ１３６を表していてもよく、第３の象限（左下）は左下隅内に挿入されるチップ１３６を表していてもよく、および第４の象限（右下）は右下隅内に挿入されるチップ１３６を表していてもよい。依って、ボアスコープオペレータ２６はチップ１３６の挿入をより簡単にガイドしてもよい。
【００４６】
オーバーレイデータ１６８はまた測定オーバーレイを含んでいてもよい。例えば、長さ、線へのポイント、深さ、面積、マルチセグメントライン、距離、スキュー、および円ゲージなどの測定は、ユーザに画像の上に１つ以上のカーソルクロス（例えば、「＋」）にオーバーレイさせることを可能にすることにより提供されてもよい。一実施形態では、立体測定および／または物体に影を投影することによるなどを含む、対象物の内部の測定に適した、ステレオプローブの測定チップ１３６またはシャドウプローブ測定チップ１３６が提供されてもよい。画像上にカーソルアイコン（例えば、カーソルクロス）を複数配置することにより、測定は立体的な技術を使用して導出されてもよい。例えば、２つのカーソルアイコンを配置することは線形ポイントツーポイント測定（例えば、長さ）を提供してもよい。３つのカーソルアイコンを配置することはポイントからラインまでの垂直距離（例えば、線へのポイント）を提供してもよい。４つのカーソルアイコンを配置することは表面の上側または下側（例えば、深さ）での面（３つのカーソルを使用することにより導出される）および点（第４のカーソル）との間の垂直距離を提供してもよい。特徴または欠陥の周囲に３つ以上のカーソルを配置することは次にカーソルの内側に含まれる表面のおおよその面積を与えてもよい。３つ以上のカーソルを配置することはまた各カーソルに続くマルチセグメントラインの長さを可能にしてもよい。
【００４７】
同様に、影を投影することにより測定値が照明およびその結果としてもたらされる影に基づいて導出されてもよい。依って、測定領域全体に影を配置し、次に所望の測定の最も遠い点で影のできるだけ近くに２つのカーソルを置くことにより、点間の距離を導出してもよい。測定エリア全体に影を配置し、次に水平の影のほぼ中央で所望の測定領域の端（例えば、照射されたエッジ）にカーソルを配置することは、スキュー測定を結果としてもたらしてもよく、それ以外の場合はプローブビューに対して垂直でない表面上の線形（ポイントツーポイント）測定として定義される。これは垂直影が得られない場合に有用であってもよい。
【００４８】
同様に、測定領域全体に影を位置決めし、次に隆起表面上に１つのカーソルを、および沈降表面上に第２のカーソルを配置することは、深さの導出、または表面の上側または下側での表面および点との間の距離を結果としてもたらしてもよい。測定領域の近くに影を位置決めし、次に影の近くにおよび欠陥上に円（例えば、ユーザ選択可能な直径の円形カーソル、また円形ゲージとも呼ばれる）を配置することは、次におおよその直径、円周、および／または欠陥の面積を導出してもよい
オーバーレイデータ１６８はまた注釈データを含んでいてもよい。例えば、テキストおよびグラフィックス（例えば、矢印ポインタ、クロス、幾何学的形状）は「表面亀裂」などの特定の特徴を注釈付けるために画像上にオーバーレイされてもよい。付加的に、オーディオはＮＤＴ検査装置１２によりキャプチャされ、オーディオオーバーレイとして提供されてもよい。例えば、音声注釈、検査を受けている機器の音等々は画像上にまたはオーディオのビデオとしてオーバーレイされてもよい。モバイルデバイス２２および／またはクラウド２４により受信されたオーバーレイデータ１６８は、次に様々な技術によりレンダリングされてもよい。例えば、ＨＴＭＬ５または他のマークアップ言語はオーバーレイデータ１６８を表示するために使用されてもよい。一実施形態では、モバイルデバイス２２および／またはクラウド２４はＮＤＴ装置１２により提供される第２のユーザインターフェースとは異なる第１のユーザインターフェースを提供してもよい。依って、オーバーレイデータ１６８は簡略化され、および基本的な情報のみを送信してもよい。例えば、チップマップの場合には、オーバーレイデータ１６８はチップの場所に相関的なＸおよびＹのデータを単に含んでいてもよく、および第１のユーザインターフェースは次にグリッド上にチップを視覚的に表示するためにＸおよびＹのデータを使用してもよい。
【００４９】
付加的に、センサデータ１７４は通信されてもよい。例えば、センサ１３０、１４０からのデータ、およびＸ線センサデータ、渦電流センサデータ等は通信されてもよい。特定の実施形態では、センサデータ１７４はオーバーレイデータ１６８と同期されてもよく、例えばオーバーレイチップマップは温度情報、圧力情報、流量情報、クリアランス等々と並んで表示されてもよい。同様に、センサデータ１７４は画像またはビデオデータ１７０と並んで表示されてもよい。
【００５０】
特定の実施形態では、フォースフィードバックまたは触覚フィードバックデータ１７６は通信されてもよい。フォースフィードバックデータ１７６は、例えば構造に対して当接または接触するボアスコープ１４のチップ１３６に関連するデータ、チップ１３６または振動センサ１３０が感じる振動、流量に関連する力、温度、クリアランス、圧力等などを含んでいてもよい。モバイルデバイス２２は、フォースフィードバックデータ１７６に基づいて、応答して流体の圧力を変化させるおよび／または液体をリダイレクトしてもよい、例えば流体で満たされたマイクロチャネルを有する触覚層を含んでいてもよい。実際に、本明細書に説明した技術はセンサデータ１７４および触覚力としてコンジット１６２内の他のデータを提示するのに適したモバイルデバイス２２により作動される応答を提供してもよい。
【００５１】
ＮＤＴ装置１２は付加的に位置データ１７８を通信してもよい。例えば、位置データ１７８は機器１８、１０４および／または設備２０、１０６に関連したＮＤＴ装置１２の場所を含んでいてもよい。例えば、屋内ＧＰＳ、ＲＦＩＤ、三角測量（例えば、ＷｉＦｉ三角測量、無線三角測量）などの技術は装置１２の位置１７８を決定するのに使用されてもよい。対象物データ１８０は検査中の対象物に関連するデータを含んでいてもよい。例えば、対象物データ１８０は識別情報（例えば、シリアル番号）、機器の条件上での観測、注釈（テキスト注釈、音声注釈）等々を含んでいてもよい。使用される際にテキスト注釈およびメタデータとして適用することができる事前定義された「タグ」のセットを提供するメニュー形式の検査データを含むがこれに限定されない、他のタイプのデータ１８２が使用されてもよい。これらのタグは場所情報（例えば、第１ステージＨＰコンプレッサ）または検査を受けている対象物に関連する指標（例えば、異物損傷）を含んでいてもよい。その他のデータ１８２は付加的にリモートファイルシステムデータを含んでいてもよく、その中でモバイルデバイス２２はＮＤＴ検査装置１２のメモリ２５内に配置されたデータのファイルおよびファイル構造（例えば、フォルダ、サブフォルダ）を表示および操作してもよい。依って、ファイルはモバイルデバイス２２およびクラウド２４に転送され、編集されおよびメモリ２５内に逆転送されてもよい。データ１６４−１８２をモバイルデバイス２２およびクラウド２４へ通信することにより、本明細書に説明の技術はより速くおよびより効率的なプロセス１５０を可能にしてもよい。
検査データのためのグラフィカルフィルタ
先に論じたように、グラフィカルフィルタを使用して検査データを提供することが有益であってもよい。グラフィカルフィルタは検査員またはその他の要員が特定のデータを簡単にフィルタするのを可能にすることにより特定の検査データへのより効率的なアクセスを提供してもよい。グラフィカルフィルタデータは、後でグラフィカルフィルタを使用してアクセスしてもよいように、検査データにバインドされてもよい。図７は実施形態による収集された検査データにグラフィカルフィルタデータを適用するためのプロセス２００を示すフローチャートである。プロセス２００は検査される（ブロック２０２）対象物に関連するモデルを取得することにより開始してもよい。例えば、本明細書に説明のように、検査器具（例えば、ＮＤＴ検査装置１２またはモバイルデバイス２２）または他のコンピューティングデバイスは検査されている特定の対象物を認識していてもよい。依って、検査器具は検査される対象物の２Ｄまたは３Ｄモデルを取得してもよい。例えば、検査器具が現在の検査が特定の航空機に関連することを知っている場合、航空機のモデルが検査器具にダウンロードされてもよい。いくつかの実施形態では、実際のモデルはダウンロードされないが、代わりに場所インジケータ（例えば、部品の識別ラベル、座標など）が検査器具により取得されてもよい。
【００５２】
一旦モデルおよび／または場所インジケータが取得されると、特定の検査に適用可能なモデルおよび／または場所インジケータの部分が決定される（ブロック２０４）。例えば、検査が航空機５４のコックピットでまたは周辺でオンである場合、モデルの決定された部分はコックピットおよび／または決定された座標を含んでいてもよい、または他の場所インジケータは同様にコックピットを識別してもよい。場所インジケータの多くの層がこのステップで決定されてもよい。例えば、航空機５４の翼を検査する際に、場所インジケータの任意の粒度が取得されてもよい。いくつかの実施形態では、システムはモデルおよび／または場所インジケータの適用可能な部分の非常に粒状な理解を決定してもよい。例えば、適用可能な部分は左翼の特定のフラップであると判断されてもよい。代替的実施形態では、それほど粒状ではない決定が行われてもよい。例えば、該当する部分は単に航空機５４の翼を示していてもよい。
【００５３】
検査データは本明細書に説明されているように収集され（ブロック２０６）、および決定された適用部分および／または場所インジケータは収集されたデータにメタデータとして適用される（ブロック２０８）。例えば、ボアスコープの画像データは取得されてもよく、および画像データが取得されたモデルの適用可能な部分の指標は画像データに属性として付加されてもよい。依って、モデルのグラフィカルフィルタデータは画像データに現在起因し、以下でより詳細に論ずるように、グラフィカルデータをフィルタリングするのに有用である。収集されたデータへのメタデータの適用はメタデータおよび収集されたデータとの間の関係を生成する任意の方法を使用して行われてもよい。例えば、いくつかの実施形態では、リレーショナルデータベースはメタデータおよび収集されたデータとの間の関係を作成してもよい。代替的実施形態では、属性は特定の収集されたデータファイルの属性としてメタデータを定義する、ファイルシステム内に設定されてもよい。仮想マシンイメージ（ＶＭＩ）データベースなどのクラウドベースのデータベース、および／またはサービスシステムとしてのデータベースを含む他のデータベースが使用されてもよい
一旦グラフィカルフィルタデータが検査データに適用されると、グラフィカルにデータを提示するために使用されてもよい。図８は実施形態によるグラフィカルフィルタデータを使用して検査データを提示するためのプロセス２２０を示すフローチャートである。プロセス２２０は検査される対象物の２Ｄまたは３Ｄモデルを取得することにより始まる（ブロック２２２）。例えば、検査データがボーイング７７７に関連する場合、ボーイング７７７の２Ｄまたは３Ｄモデルが取得される。代替的実施形態では、より単純なおよび一般化されたモデルが取得されてもよい。例えば、一般的な航空機モデルが取得されてもよい。先に論じたように、モデルの適用可能部分を定義するメタデータおよび／または他の場所インジケータは検査データに起因してもよい。メタデータは、特定の検査データに関連付けられたモデルの関連部分を決定するために読み取られ（ブロック２２４）および解析される（ブロック２２６）。前述のように、一般化されたモデルが使用されてもよい。一般化されたモデルが使用される、および／または検査データの提示のために取得されたモデルが収集された検査データにメタデータを適用するために使用されるモデルと一致しない場合の実施形態では、メタデータの変換が発生してもよい。例えば、メタデータが粒状のモデルを使用して取得され、および提示モデルがより小さい粒状である場合、システムは提示モデルにより理解できる形式にメタデータを変換してもよい。このように、適用可能な場所が特定の左翼フラップであるメタデータが提供されるが、提示モデルが翼の他の部分からフラップを区別しなかった場合、システムはフラップメタデータをそれほど粒状でない部分（例えば、左翼または航空機の翼）に変換することができるであろう。一旦検査データに適用可能な提示モデルの関連部分が決定されると、提示モデルは、その部分の検査データが利用可能であることを示す、関連部分における指標とともに表示されてもよい（ブロック２２８）。
【００５４】
図９は実施形態による提示モデル２５２上のワイヤフレーム２５０を使用した検査特性およびデータを提供する例である。例えば、上述したプロセス２２０を使用して、提示モデル２５２はワイヤフレーム２５０のインジケータで表示されてもよい。これら２５０のインジケータは対象物の特定のコンポーネントの検査情報が利用可能であるという指標を提供する。例えば、ワイヤフレーム２５０はコックピット２５４、左タービンエンジン２５６、右翼２５８、および尾部２６０を取り囲み、航空機のこれらの部分のそれぞれについての検査情報が利用可能であることを示す。
【００５５】
理解されるように、ワイヤフレーム２５０の指標は検査されている対象物の特定の部分の指標を提供するのに非常に有用であってもよい。これらの指標はまだ検査されていない航空機の部分を図示することにより全体的な検査の進捗状況を把握することに有用であってもよい。いくつかの実施形態では、ワイヤフレーム２５０の指標は検査データが古くなっていない場合（例えば、一定の閾値時間内）にのみ提供されてもよい。このように、これらの実施形態では、ワイヤフレーム２５０は、現在の（例えば、古くない、失効していない）検査データが存在する部分の指標を提供することができ、このように追加の検査を必要とする対象物の部分のより良い理解を提供する。
【００５６】
いくつかの場合では、古い、失効したデータ（または他のデータの特性）を有する部分の指標と一緒に、検査データの特性（例えば、検査データが古くなっている、失効しているかどうか）にかかわらず、任意の検査データが存在するか否かの指標を提供することは有益であってもよい。図１０は検査データおよび検査データ特性を有する対象物の部分の指標を提供する例である。モデル２９０は一実施形態による検査データ指標を提供するために可変ワイヤフレーム２９２、２９４および２９６および検査インジケータアイコン２９８を使用する。可変ワイヤフレーム２９２、２９４、および２９６の存在は検査データが対象物の特定の部分のために存在することを示していてもよい。例えば、提供された例では、ワイヤフレーム２９２は翼先端３００のためにその検査データが利用可能であることを示していてもよい。さらに、ワイヤフレーム２９４は検査データが胴体３０４の前方部分３０２のために存在することを示していてもよい。ワイヤフレーム２９６は左翼３０６が利用可能な検査データを有していることを示していてもよい。
【００５７】
可変ワイヤフレームおよび／または指標アイコンは利用可能な検査データに関する追加の指標を提供するために使用されてもよい。例えば、理解されるように、ワイヤフレーム２９２、２９４、および２９６は異なる太さのワイヤですべて可変離間されている。例えば、ワイヤフレーム２９２は非常に太い配線で非常にしっかりと離間されたワイヤを含む。ワイヤフレーム２９４は細いワイヤ（太さ３０８により示されるように）を含み、および相対的に適度な間隔３１０で離間される。付加的に、ワイヤフレーム２９６は相対的に太い太さ３１２および相対的に緩い（例えば、幅広い）間隔３１４のワイヤを含む。
【００５８】
ワイヤの太さおよびワイヤ間隔は検査データの属性を提示するために使用されてもよい。例えば、いくつかの実施形態では、ワイヤの太さは利用可能な検査データの量を提示していてもよく、およびワイヤ間隔はデータが新鮮（有効）または古い（失効している）かどうかを示していてもよい。例えば、ワイヤフレーム２９２が非常に太い線を使用して非常にしっかりと離間されているため、ワイヤフレーム２９２は翼先端３００の検査は最近または「新鮮」であること、およびかなりの量の検査データが利用可能であることを示していてもよい。ワイヤフレーム２９４は、ワイヤの太さ３０８に基づいて胴体３０４の前方部分３０２のために利用可能な比較的少ない検査データがあること、および利用可能な検査データはワイヤ間隔３１０に基づいて適度に最近のものであることを示していてもよい。さらに、ワイヤフレーム２９６はワイヤの太さ３１２に基づいて左翼３０６のための大量の検査データが存在しているが、ワイヤ間隔３１４に基づいて検査データは相対的に古い、失効していることを示していてもよい。
【００５９】
ワイヤフレームインジケータに加えて、インジケータアイコン２９８などのインジケータアイコンは検査データの特定の特性を示すために使用されてもよい。例えば、インジケータアイコン２９８は重要であると考えられている特定の検査データ（例えば、特定の安全基準に対する違反を示している検査データなど）のための異常および／または警告を示していてもよい。「！」ラベルで示すように、インジケータアイコン２９８は重要な検査データを検査員または他の要員に警告することを意図している。例えば、クラック３１６は検査データが安全基準に違反する原因となっている左翼１１４中に存在していてもよい。データ解析の際に、システムはこの違反を判定し、および違反の指標としてインジケータアイコン２９８を提供してもよい。モデルの適用可能な部分が検査データに起因しているので、インジケータアイコン２９８は違反が検出されたおおよその場所に提示されてもよい。
【００６０】
理解されるように、かなりの検査データおよび／または検査データ特性はワイヤフレームインジケータを有する提示モデルを迅速に一瞥することにより取得されてもよい。前述の議論はワイヤの太さおよび間隔に基づいて指標の特定の例を中心に展開したが、その意図はワイヤフレーム内の変数に基づいて提示されている検査データの特定のインジケータまたは特定の特性を提供してもよいワイヤフレーム変数を限定するものではない。さらに、インジケータはワイヤフレームおよびアイコンインジケータに限定されるものではない。提示モデルの任意の分散は対象物の特定の部分のための検査データおよび／または検査データの特定の特性の存在の指標を提供するために使用されてもよい。
【００６１】
例えば、色および／または色のマッピングは検査データの特性を図解するために提示モデルに追加されてもよい。図１１は実施形態による色および色のバリエーションマップを使用して検査特性およびデータを提供する例を示す。現在の実施形態では、システムに知られている現在の検査データの重要度を図解するために色が表示されたモデル３５０に追加される。例えば、赤は検査データに基づいて対処すべき重要な項目があることを提示していてもよい。黄色は重要度に対する傾向を見落としているか、または示しているかのいずれかである検査データを示すために使用されてもよく、および緑は検査の問題がないことを示していてもよい（例えば、検査が最新のものであり、および重大な問題または重大な問題に対する傾向が何も検出されていない）。さらに、現在の本実施形態では、白は特定のコンポーネントに検査データは存在しないことを提示していてもよい。図１１の現在の例では、クラック３５２が存在することを前提としている。依って、検査データは異常（例えば、表面クラック、座屈など）を検出してもよい。色のバリエーションマップ３５４は赤の陰影に変化することを提供してもよく、異常が根ざしているピンポイントされた領域を提示している。さらに、翼全体３５６は赤のいくつかの陰影であってもよく、翼での重大な問題を提示している。
【００６２】
現在の例では、胴体３５８は検査データが新鮮であり、および異常および／または重大な問題の傾向が何も存在しないことを提示する緑色に陰影付けされている。左翼３６０は黄色に陰影付けされ、重要度および／または不十分な「新鮮な」検査データの傾向のパターンを示している。さらに、左側のタービンエンジン３６２は白く陰影付けされ、その特定のコンポーネントのための検査データは利用可能でないことを示している。前述したように、本明細書で論じられ提供される例は現在の仕様の範囲を限定することを意図していない。任意の色および／または色パターンは検査データの任意の数の特性の付加的な指標を提供するために使用されることができる。
【００６３】
一旦検査員またはその他の要員が検査特性を知らされると、検査員または他の要員は特定の検査データにアクセスすることを所望してもよい。図１２は実施形態による特定のグラフィカルフィルタエレメントの選択に基づいて検査データを取得するためのプロセス３８０を示すフローチャートである。システムは上述した提示モデルの特定の部分または部分の選択を検出してもよい（ブロック３８２）。例えば、検査員または他の要員は、提示モデルを表示しているタッチスクリーン上の部分をタッチすることにより、または提示モデルを表示しているコンピュータ上でのマウスクリックを介して、提示モデルの特定の部分を選択してもよい。次に、選択に基づいて、検査データへのアクセスを有するデータソースが照会される（ブロック３８４）。データソースは選択に関連した（ブロック３８６）関連検査データを返してもよい。
【００６４】
図１３−１８は特定の選択およびこれらの選択に関連した検査データの提示を示している。例えば、図１３は、ポインタ４０２により示されるように、検査員が提示モデル４００から胴体グラフィカルフィルタエレメント４０６を選択したところであり、胴体４０４に関する特定の検査データを取得したいという所望を示している。選択に基づいて、システムは検査データへのアクセスを有するデータソースを照会してもよい（例えば、ローカルまたはクラウドコンピューティングデータベース）。検査データがモデルの関連部分にバインドされているので、特定の関連する部分の指標でデータソースを照会することは検査データをグラフィカルにフィルタリングすることを結果としてもたらす。例えば、現在の例では、データソースは特定の航空機の機体に基づいて照会される。データソースはその航空機の胴体に固有の検査データを返す。
【００６５】
図１４は実施形態による、図１３の選択に基づいて取得されたフィルタリングされた胴体データの例である。図示のように、オペレータにより提供される選択に関連するデータ（例えば、この例では特定の航空機の胴体）のみを表示している、検査レポート４３０が提供される。レポートは、例えば画像４３２、注記４３４、検査日付４３６、検査を完了した検査員（複数可）の名前４３８、および任意の他の関連する検査データを含んでいてもよい。
【００６６】
検査データの提示は検査を提示するシステム内で構成されてもよい。例えば、提示システムの構成設定は特定の時間範囲内のデータ、「新鮮」であるデータ、または任意の他の特性に適合する検査データがオペレータに提示されることを可能にしてもよい。
【００６７】
図１５は検査員または他の要員がポインタ４５４により示される特定の検査データを取得するためにモデル４５０の翼のグラフィカルフィルタエレメント４５２を選択する例である。上記で論じたように、選択を検出すると、システムは選択された翼に関連する検査データのデータソースを照会する。依って、翼の検査データはシステムにより引き出され、および翼の検査レポート４７０は図１６に示すように検査員に提示される。もう一度、翼は検査員により行われた唯一の選択であったので、翼に関連するデータのみが検査員に提供される。さらに、上記のように、検査レポートは例えば画像４７２、注記４７４、検査データ４７６、検査を完了した検査員（複数可）の名前４７８、および任意の他の関係する検査データを含む。さらに、検査データ「ＩＤ  ０００５」４８０により示される検査データの複数セットは特定のサブコンポーネントに組み合わせられてもよい。現在の例では、リッチ・マカリーおよびエドワード・ターナーは「ＩＤ  ０００５」検査のための個々の注記を提供した。かれらの注記は組み合わせられ、および単一のコンテナ４８２でユーザに提示されている。
【００６８】
効率化のために、何人かの検査員またはその他の要員はグラフィックフィルタで複数の選択を行うことを所望してもよい。図１７は実施形態による、翼グラフィカルフィルタエレメント５０２（ポインタ５０４により示される）および胴体のグラフィカルフィルタエレメント５０６（ポインタ５０８により示される）の両方を、これらコンポーネントのそれぞれに特異的な検査データを取得するために、提示モデル５００から選択する例である。これらのエレメント５０２および５０６を選択すると、システムはこれらのコンポーネントのどちらかに関連する検査データのデータソースを照会する。データソースはこれらのコンポーネントのための検査データを返し、それらが検査員または他の要員に提示される。例えば、図１８は翼の検査データ５５４だけでなく胴体検査データ５５２を提供する検査レポート５５０を示す。他の検査レポートと同様に、すべての関連する検査データは検査レポート５５０内で提供されてもよい。例えば、レポート５５０は検査データ５５６、検査を完了した検査員（複数可）の名前５５８、画像５６０、注記５６２、および任意の他の関連する検査データを含んでいてもよい。
【００６９】
理解されるように、現在のアプリケーションはグラフィカルフィルタの使用を通して検査データを提示するための効率的なシステムおよび方法を提供する。グラフィカルフィルタを使用することにより、検査員および／または他の要員は特定の対象物の現在の検査状態を効率的および容易に理解してもよい。さらに、検査員または他の要員は検査される対象物の特定のグラフィカルな表現を使用して非常に容易に検査データにアクセスしてもよく、このように検査される対象物の明確なサブコンポーネントのための特定のデータを取得するための複雑さを低減する。依って、
本明細書は最良の形態を含む本発明を開示するとともに、任意の装置またはシステムを製作および使用すること、および任意の組み込まれた方法を実行することを含む本発明を任意の当業者が実施することを可能にするために例を使用する。本発明の特許可能な範囲は特許請求の範囲により定義され、および当業者が想到する他の例を含んでいてもよい。このような他の例は、これらが特許請求の範囲の文言と異ならない構造要素を有する場合、またはこれらが特許請求の範囲の文言と非実質的な相違を有する等価な構造要素を含む場合、特許請求の範囲の範囲内にあることが意図されている。
【符号の説明】
【００７０】
５  ＨＴＭＬ
１０  分散型ＮＤＴシステム
１２  ＮＤＴ装置、ＮＤＴ検査装置
１４  ボアスコープ
１５  プロセッサ
１６  可搬型ＰＴＺカメラ、ＰＴＺカメラ
１７  メモリ
１８  ターボ機械
１９  プロセッサ
２０  ガス設備、設備、サイト
２１  メモリ
２２  モバイルデバイス
２３  プロセッサ
２４  クラウド
２５  メモリ
２６  ボアスコープオペレータ
２８  オペレータ
２９  コンピューティングシステム
３０  カメラオペレータ
３２  燃料ノズル
３４  圧縮機
３６  燃焼器
３８  吸気部
４０  ステージ
４２  ステージ、装置
４４  ステージ、装置
４６  静翼、翼
４８  ブレード
５０  回転ホイール
５２  シャフト
５４  タービン、航空機
５６  ディフューザ部、ディフューザ
６０  ステージ
６２  ステージ
６６  タービンブレード、バケット
６８  ロータホイール
７０  ロータホイール
７４  シャフト
７６  ケーシング
８０  排気部
８４  石油およびガス機器
８６  パイプまたはコンジット
８８  水中
９０  屈曲
９２  渦電流検査装置
９３  プロセッサ
９４  超音波探傷器
９５  メモリ
９６  デジタル放射線検査装置、デジタル放射線撮影装置
９７  プロセッサ
９８  渦電流オペレータ
９９  メモリ
１００  超音波装置オペレータ
１０１  プロセッサ
１０２  放射線撮影オペレータ
１０３  メモリ
１０４  航空機システム、航空機
１０６  設備
１０８  パイプ
１１０  クラック
１１２  非鉄材料
１１４  左翼、部分
１１６  コンポーネント
１１８  挿入チューブ
１２０  ボアスコープ先端部
１２２  関節部
１２４  導管部
１２６  ボアスコープカメラ
１２８  ライト
１３０  センサ
１３１  物理的なジョイスティック
１３３  ＸＹＺ軸
１３４  ビデオ
１３５  画面
１３６  チップ
１３７  画面
１３８  ライト
１４０  センサ
１４２  シャフト
１５０  プロセス
１５２  ブロック
１５４  ブロック
１５６  ブロック
１５８  ブロック
１５９  レポート
１６０  ブロック
１６２  ワイヤレスコンジット、コンジット
１６４  認証データ
１６６  スクリーンスクラッピングデータ
１６８  オーバーレイデータ、オーバーレイストリーム、オーバーレイ、データストリーム
１７０  画像またはビデオ、画像またはビデオデータ
１７２  同期信号
１７４  センサデータ
１７６  触覚フィードバックデータ、フォースフィードバックデータ
１７８  位置データ
１８０  対象物データ
１８２  データ
２００  プロセス
２０２  ブロック
２０４  ブロック
２０６  ブロック
２０８  ブロック
２２０  プロセス
２２２  ブロック
２２４  ブロック
２２６  ブロック
２２８  ブロック
２５０  ワイヤフレーム
２５２  提示モデル
２５４  コックピット
２５６  左タービンエンジン
２５８  右翼
２６０  尾部
２９０  モデル
２９２  可変ワイヤフレーム
２９４  可変ワイヤフレーム
２９６  ワイヤフレーム
２９８  インジケータアイコン、検査インジケータアイコン
３００  翼先端
３０２  前方部分
３０４  胴体
３０６  左翼
３１０  ワイヤ間隔
３１４  ワイヤ間隔
３１６  クラック
３５０  モデル
３５２  クラック
３５４  バリエーションマップ
３５６  翼全体
３５８  胴体
３６０  左翼
３６２  タービンエンジン
３８０  プロセス
３８２  ブロック
３８４  ブロック
３８６  ブロック
４００  提示モデル
４０２  ポインタ
４０４  胴体
４０６  胴体グラフィカルフィルタエレメント
４３０  検査レポート
４３２  画像
４３４  注記
４３６  検査日付
４３８  名前
４５０  モデル
４５２  グラフィカルフィルタエレメント
４５４  ポインタ
４７０  検査レポート
４７２  画像
４７４  注記
４７６  検査データ
４７８  名前
４８２  コンテナ
５００  提示モデル
５０２  翼グラフィカルフィルタエレメント
５０４  ポインタ
５０６  グラフィカルフィルタエレメント
５０８  ポインタ
５５０  検査レポート、レポート
５５２  胴体検査データ
５５４  翼の検査データ
５５６  検査データ
５５８  名前
５６０  画像
５６２  注記
【図１】
0006387017.tif 000002
【図２】
0006387017.tif 000003
【図３】
0006387017.tif 000004
【図４】
0006387017.tif 000005
【図５】
0006387017.tif 000006
【図６】
0006387017.tif 000007
【図７】
0006387017.tif 000008
【図８】
0006387017.tif 000009
【図９】
0006387017.tif 000010
【図１０】
0006387017.tif 000011
【図１１】
0006387017.tif 000012
【図１２】
0006387017.tif 000013
【図１３】
0006387017.tif 000014
【図１４】
0006387017.tif 000015
【図１５】
0006387017.tif 000016
【図１６】
0006387017.tif 000017
【図１７】
0006387017.tif 000018
【図１８】
0006387017.tif 000019